(57)【要約】【課題】所定方向に往復運動する球遊び部材を備え、その動きと共にパチンコ球の予測不能な動きを楽しめ、遊技に斬新さが加えられることにより遊技の興趣を高め遊技者が満足できるパチンコ遊技機における可変表示装置を提供する。【解決手段】取付基板１７に開口１９を開設すると共にその裏側に装置本体２０前面の表示部１３ａが前記開口１９に臨むようにした可変表示装置１３であって、前記表示部１３ａの前側にパチンコ球Ｂの自重により所定方向に往復運動する球遊び部材２５を配置し、前記球遊び部材２５には前記パチンコ球Ｂが転動するステージ３０を設けた構成からなる。【選択図】  図４
2004329332.tif 000002
【特許請求の範囲】
【請求項１】
取付基板に開口を開設すると共にその裏側に装置本体前面の表示部が前記開口に臨むようにした可変表示装置であって、前記表示部の前側にパチンコ球の自重により所定方向に往復運動する球遊び部材を配置し、前記球遊び部材には前記パチンコ球が転動するステージを設けたことを特徴とするパチンコ遊技機における可変表示装置。
【請求項２】
取付基板に開口を開設すると共にその裏側に装置本体前面の表示部が前記開口に臨むようにした可変表示装置であって、前記表示部の前側に駆動手段により所定方向に往復運動する球遊び部材を配置し、前記球遊び部材には前記パチンコ球が転動するステージを設けたことを特徴とするパチンコ遊技機における可変表示装置。
【請求項３】
前記ステージにその上面を転動するパチンコ球を下方へ落下させる排出口を設け、前記排出口の下側に該排出口と合致したときそこから落下するパチンコ球を所定の方向へ導く誘導通路を配置した請求項１又は２記載のパチンコ遊技機における可変表示装置。
【発明の詳細な説明】
【０００１】
【発明の属する技術分野】
本発明は、パチンコ遊技機の遊技盤面に装着される可変表示装置に関するものである。
【０００２】
【従来の技術】
従来、例えばフィーバータイプのパチンコ遊技機は、遊技盤面に可変表示装置が装着され、その下方にパチンコ球の入賞により前記可変表示装置の表示部の表示を変動表示させる始動入賞口が装着されている。また、その下方に前記変動した表示が一定の時間経過後に停止して特定の表示（例えば「７７７」）を示し、遊技者にとって有利な特別遊技状態になったとき、一定の条件の下で開閉扉を所定回数開成させ一度に多くの入賞球が得られるようにした入賞装置が配置されている。前記可変表示装置には、取付基板の前側であって表示部の下縁に沿って流入するパチンコ球を転動させ下方の始動入賞口に入賞し易いように誘導するステージが設けられている（例えば、特許文献１参照。）。
【０００３】
【特許文献１】
特開平１１−２９０５１４号公報（第３−６頁、図２（ａ）（ｂ））
【０００４】
【発明が解決しようとする課題】
しかしながら、前記ステージは可変表示装置に一体に固定的に設けられており、単にパチンコ球がその上面を転動するのみであることから、パチンコ球の流れを予測できてマンネリ化しており、遊技の興趣の盛り上がりに欠け、何らかの解決策を打ち出す必要が有るという課題が有る。
【０００５】
そこで、本発明は上記課題に鑑みてなされたもので、所定方向に往復運動する球遊び部材を備え、その動きと共にパチンコ球の予測不能な動きを楽しめ、遊技に斬新さを加えることにより遊技の興趣を高め、遊技者が満足できるパチンコ遊技機における可変表示装置を提供することを目的とするものである。
【０００６】
【課題を解決するための手段】
かかる目的を達成するため、本発明のパチンコ遊技機における可変表示装置は取付基板に開口を開設すると共にその裏側に装置本体前面の表示部が前記開口に臨むようにした可変表示装置であって、前記表示部の前側にパチンコ球の自重により所定方向に往復運動する球遊び部材を配置し、前記球遊び部材には前記パチンコ球が転動するステージを設けた構成からなる。
【０００７】
または、取付基板に開口を開設すると共にその裏側に装置本体前面の表示部が前記開口に臨むようにした可変表示装置であって、前記表示部の前側に駆動手段により所定方向に往復運動する球遊び部材を配置し、前記球遊び部材には前記パチンコ球が転動するステージを設けた構成からなる。
【０００８】
このように、表示部の前側でパチンコ球の自重または駆動手段により球遊び部材が所定方向に往復動するので、その動きによって遊技の面白みが増し、また、ステージの上面を転動するパチンコ球の流れ方向が予測不能となり、意外性が生じて斬新さを生みだし、もって遊技の興趣が高められる。
【０００９】
前記球遊び部材は、上下方向、左右方向、前後方向に往復動させても良く、または上部を支点にして左右に往復揺動させるようにしても良い。
【００１０】
この場合、前記ステージにその上面を転動するパチンコ球を下方へ落下させる排出口を設け、前記排出口の下側に該排出口と合致したときそこから落下するパチンコ球を所定の方向へ導く誘導通路を配置することが好ましい。特に、前記誘導通路を始動入賞口の真上に配置するようにすれば、その始動入賞口への入賞する機会を多くすることができ、遊技の面白みが増す。
【００１１】
【発明の実施の形態】
以下、本発明に係るパチンコ遊技機における可変表示装置の実施の形態を図面に基づき説明する。図１は本発明が適用されるパチンコ遊技機の正面図である。図において、１はパチンコ遊技機Ｐにおける木製の外枠であって、縦長方形枠状に成形されている。その前面に前枠２がその一側上下部を前記外枠１の一側上下部に設けた軸支部３，３に軸支して回動自在に装着される。前記前枠２には略円形の窓口４が開設され、該前枠２の裏面に配置固定される遊技盤５前面の遊技部５ａが前記窓口４に臨むようになっている。
【００１２】
前記前枠２の前面に、遊技盤５の遊技部５ａを覆う２枚の透明板であるガラス板６を備えた透明板保持枠７が回動可能に装着される。この透明板保持枠７は、その横幅が、正面から見て外枠１とほぼ同じ寸法を有する。また、透明板保持枠７の下方には前板８が回動自在に装着される。前板８も透明板保持枠７とほぼ同じ横幅を有している。
【００１３】
前記前板８の前面に、貯留されるパチンコ球を発射部（図示せず。）に供給するための打球供給皿９が装着されている。また、前枠２の下部前面には、前記打球供給皿９から溢れるパチンコ球を貯留する余剰球受皿１０が装着されている。１１は前記前枠２の下部前面の一側に設けられ、打ち出されるパチンコ球の打球力の強弱を調節する操作ハンドルである。
【００１４】
前記遊技盤５の前面に、遊技部５ａを囲うように内側ガイドレール１２ａと外側ガイドレール１２ｂとが渦巻き状に配設される。前記遊技部５ａには、ほぼ中央に表示部１３ａを備えた可変表示装置１３が配置され、また、その下方にパチンコ球の入賞により前記表示部１３ａの文字、数字、図形等の表示を変動表示させる始動入賞口１４が配置される。更に、その下方に位置して前記変動した表示が一定の時間経過後に停止して特定の表示を示し、遊技者にとって有利な特別遊技状態になったとき、一定の条件の下で開閉扉１５ａを所定回数開成させ一度に多くの入賞球が得られる入賞装置１５が配置される。また、１６，１６はその両側に配設される一般入賞口である。
【００１５】
次に、前記可変表示装置１３について詳しく説明する。図２は可変表示装置の正面断面図、図３は図２のＸ−Ｘ線断面図である。この可変表示装置１３は、取付基板１７を遊技盤５の前面にあてがいビス１８を螺締することにより取り付けられる。取付基板１７には、中央に開口１９が開設され、その裏側に前面の表示部１３ａが前記開口１９に臨むようにして装置本体２０が設けられる。これにより、遊技者は前記開口１９を介して表示部１３ａを見ることができるようになっている。
【００１６】
また、前記取付基板１７の前側には前記開口１９の上方と左右両側を囲う門状の囲い枠２１が設けられ、その中にワープ通路２２が成形されている。このワープ通路２２は、上部中央から左右側にそれぞれ下傾する横通路部２２ａ，２２ｂとこれら横通路部２２ａ，２２ｂの終端に連続し鉛直に成形される縦通路部２２ｃ，２２ｄからなっている。前記横通路部２２ａ，２２ｂの中央上部にパチンコ球が流入する球入口２３が開設される。縦通路部２２ｃ，２２ｄの内側面は開放され、内側面の上部に縦通路部２２ｃ，２２ｄ内を流下するパチンコ球を受け止め内側へ導く誘導板２４が突設されている。これにより、前記球入口２３からワープ通路２２内に流入したパチンコ球は左右いずれかの横通路部２２ａ，２２ｂに振り分けられ、その流下端の縦通路部２２ｃ，２２ｄ内を流下することになる。
【００１７】
前記取付基板１７の前側、すなわち前記表示部１３ａの前側、に前記開口１９を塞ぐようにして、球遊び部材２５が配置される。この球遊び部材２５は、例えば合成樹脂材から成形され軽量化が図られ、前記取付基板１７とほぼ平行に配される支持板２６の中央上部を支軸２７により軸支されており、この支軸２７を中心として取付基板１７に沿って左右に往復揺動できるようになっている。そして、前記支持板２６に前記開口１９と同じ大きさの通口２８が開設される。また、支持板２６の前面に通口２８の両側に沿って前方へ張り出される縦側壁２９ａ，２９ｂが設けられ、支持板２６の下縁には、前方へ張り出されると共に中央部が最も低くなるように下方へ弧状に湾曲した帯板状のステージ３０が張設される。
【００１８】
前記球遊び部材２５が左右に往復揺動しない常態にあっては、通口２８が前記取付基板１７の開口１９と合致して表示部１３ａが前側から見えるようになっている。また、両縦側壁２９ａ，２９ｂの外側面に、前記各縦通路部２２ｃ，２２ｄを流下し誘導板２４に誘導され落下するパチンコ球を受け止め、その後側へ落下させる球受板３１が設けられる。更に、両縦側壁２９ａ，２９ｂの外側面には、前記球受板３１の下方であって支持板２６と平行に配置されかつ該支持板２６からパチンコ球が流下し得る間隔を離して隔壁２９ｃが設けられている。これは、球受板３１からのパチンコ球を支持板２６と隔壁２９ｃとの間を落下させることにより、そのパチンコ球が途中で外へ飛び出さないようにするためである。
【００１９】
前記ステージ３０の左右両側端部はそれぞれ両縦通路部２２ｃ，２２ｄ内に介入するようになっており、また、両縦側壁２９ａ，２９ｂの下端とステージ３０との間にはパチンコ球がステージ３０の上面に流入する球流入口３２が設けられる。よって、前記各球受板３１からのパチンコ球は、縦側壁２９ａ，２９ｂの外側面に沿って下方へ落下し、ステージ３０の端部上面に受け止められ、球流入口３２からステージ３０の上面をその中央部に向かって転動することになる。
【００２０】
前記したように、球遊び部材２５は非常に軽量に成形されており、例えば前記球受板３１の上面に落下するパチンコ球が乗っても、その自重で左右いずれかに揺動するようになっている。また、前記ステージ３０の中央部にその上面を転動するパチンコ球を下方へ落下させる排出口３３が設けられ、取付基板１７の前面に前記排出口３３の下側に位置して該排出口３３と合致したとき、そこから落下するパチンコ球を下方へ導く誘導通路３４が設けられている。この誘導通路３４は上面と下面が開口し、上面の両側部に棚板３４ａ，３４ａがほぼ水平に設けられている。通常、この誘導通路３４は前記遊技盤５の前面に装着された始動入賞口１４の真上に設けられ、これにより誘導通路３４から排出されるパチンコ球の始動入賞口１４へ入る機会を多くしている。
【００２１】
本発明に係るパチンコ遊技機における可変表示装置は上記構成からなり、次に作用を説明する。常態においては、図２に示すように球遊び部材２５が左右いずれにも揺動せず中央で停止している。そこで、遊技部５ａに打ち込まれたパチンコ球Ｂが球入口２３に入り、例えば図２で左側の横通路部２２ａを流下すると、このパチンコ球Ｂは、その流下端から縦通路部２２ｃに入る。そして、図２、図３に示すように誘導板２４の上面に受け止められ、更に落下して球受板３１に当たって受け止められると共にそこから落下してステージ３０の端部上面に乗る。これに伴い、その球重量が球遊び部材２５の一側に加わり、図４実線または鎖線に示すように前記球遊び部材２５が右側または左側へと往復揺動する。正確には往復減衰揺動する。
【００２２】
そこで、前記パチンコ球Ｂは、球流入口３２から揺動するステージ３０上面を転動してその中央に向かう。この間、ステージ３０が揺動することから、前記パチンコ球Ｂは遊技者がとても予測し得ない動きをする。そして、ステージ３０の前端縁から遊技盤５前面に落下するか、偶然的に中央部に辿り着く。中央部に辿り着いて排出口３３に入ったパチンコ球Ｂは、該排出口３３と誘導通路３４とが合致したとき、そこから誘導通路３４に落下して始動入賞口１４に入る機会が多くなる。また、棚板３４ａに乗ると誘導通路３４に入り易い。
【００２３】
このように、取付基板１７の前側でパチンコ球Ｂの自重により球遊び部材２５が左右に往復揺動するので、その動きによって遊技の面白みが増し、また、ステージ３０の上面を転動するパチンコ球Ｂの流れ方向が予測不能となり、意外性が生じて斬新さを生み出す。
【００２４】
図５は他の実施の形態に係るパチンコ遊技機における可変表示装置を示すもので、この可変表示装置１３では、前記球遊び部材２５を駆動手段により左右方向へ強制的に往復揺動するようにしたものである。すなわち、取付基板１７の裏側に可逆回転可能な駆動モータ３５を配置し、その駆動軸３６に駆動歯車３７を取着している。一方、前記支軸２７の後端部に従動歯車３８を取着し、この従動歯車３８と前記駆動歯車３７とを中間歯車３９を介して連係している。この場合は、前記支軸２７が支持板２６に一体に固着される。また、可変表示装置１３を軽量化する必要はない。なお、他の部位は本発明に係る可変表示装置１３と同一なので同一番号を附すことにより詳しい説明は割愛する。
【００２５】
このように、駆動モータ３５により球遊び部材２５を左右に揺動させても本発明と同等の作用効果が得られる。また、球遊び部材２５を左右に揺動させるようにしたが、設計上可能であれば、上下、左右または前後に直線的に往復動させるようにしても良いこと勿論である。
【００２６】
【発明の効果】
以上説明したように本発明は、装置本体前面の表示部の前側に球遊び部材を配置すると共にパチンコ球の自重または駆動手段により往復動させるようにしたので、その動きにより遊技に面白みが湧き、更に、ステージの上面を転動するパチンコ球の流れ方向が予測不能となり、意外性が生じて斬新さを生みだすこととなり、これにより遊技の興趣が高められるという効果がある。
【００２７】
前記ステージにその上面を転動するパチンコ球を下方へ落下させる排出口を設け、前記排出口の下側に該排出口と合致したとき、そこから落下するパチンコ球を所定の方向へ導く誘導通路を配置するようにすれば、例えば、前記誘導通路を始動入賞口の真上に配置することにより、その始動入賞口への入賞する機会を多くすることができ、遊技の面白みを増すことができる。
【図面の簡単な説明】
【図１】本発明が適用されるパチンコ機の正面図。
【図２】可変表示装置の正面断面図。
【図３】図２のＸ−Ｘ線断面図。
【図４】作用を示す可変表示装置の正面断面図。
【図５】他の実施の形態に係る可変表示装置の正面断面図。
【符号の説明】
５                  遊技盤
１３                可変表示装置
１３ａ              表示部
１７                取付基板
１９                開口
２０                装置本体
２５                球遊び部材
３０                ステージ
３３                排出口
３４                誘導通路
３５                駆動手段（駆動モータ）
３７                駆動手段（駆動歯車）
３８                駆動手段（従動歯車）
３９                駆動手段（中間歯車）
Ｂ                  パチンコ球
Ｐ                  パチンコ遊技機
【図１】
2004329332.tif 000003
【図２】
2004329332.tif 000004
【図３】
2004329332.tif 000005
【図４】
2004329332.tif 000006
【図５】
2004329332.tif 000007